(57)【要約】【課題】充電池を搭載した電子機器を複数同時に使用する場合において、各電子機器における電池残量を容易に確認することができる電池残量確認装置を実現することにある。【解決手段】本発明の音響再生装置（１）は、スピーカ（２）それぞれにおける、充電池の残量を示す電池残量情報と、配置位置を示す配置位置情報とを対応付けて作成された充電池残量表示画像を表示部（３２）に表示して、ユーザに報知する。【選択図】図１
2015226394.tif 000002
【特許請求の範囲】
【請求項１】
充電池を搭載した複数の電子機器における電池残量を確認するための電池残量確認装置であって、
上記電子機器それぞれにおける、充電池の残量を示す電池残量情報と、配置位置を示す配置位置情報とを取得する情報取得手段と、
上記情報取得手段が取得した電池残量情報と配置位置情報とを対応付けた電池残量確認情報をユーザに報知する情報報知手段とを備えたことを特徴とする電池残量確認装置。
【請求項２】
上記情報報知手段は、
上記電池残量確認情報として、上記電池残量情報と配置位置情報とを対応付けて電池残量確認画像を生成する確認画像生成手段と、
上記確認画像生成手段によって生成された電池残量確認画像を表示する表示手段と、
を含んでいることを特徴とする請求項１に記載の電池残量確認装置。
【請求項３】
上記電池残量確認画像には、電子機器に対応する電子機器画像が含まれており、
上記情報報知手段は、
上記電池残量情報から電池残量が所定値以下である電子機器に対応する電子機器画像を強調表示することを特徴とする請求項２に記載の電池残量確認装置。
【請求項４】
ユーザの操作を受け付ける操作受付手段をさらに備え、
上記情報報知手段は、
上記操作受付手段によるユーザの操作を受け付けたとき、上記電池残量確認画像を上記表示手段に表示させることを特徴とする請求項３に記載の電池残量確認装置。
【請求項５】
上記情報報知手段は、
電子機器から取得する電池残量情報が所定値以下の充電池の残量であることを示したとき、上記電池残量確認情報を報知することを特徴とする請求項１〜４の何れか１項に記載の電池残量確認装置。
【請求項６】
上記電子機器は、充電池を搭載したスピーカ装置であることを特徴とする請求項１〜５の何れかに１項に記載の電池残量確認装置。
【請求項７】
請求項１から６のいずれか１項に記載の電池残量確認装置としてコンピュータを機能させるための電池残量確認プログラムであって、コンピュータを上記各手段として機能させるための電池残量確認プログラム。
【請求項８】
請求項７に記載のプログラムを記録したコンピュータ読み取り可能な記録媒体。
【発明の詳細な説明】
【技術分野】
【０００１】
本発明は、充電池を搭載した電子機器における電池残量を確認するための電池残量確認装置に関する。
【背景技術】
【０００２】
近年、充電池を搭載することによって、電池残量がある間は外部から無給電で動作する（例えば、コンセントから電源を給電せずに動作する）電子機器が普及してきている。
【０００３】
また、複数のスピーカを用いる５．１チャンネル（ｃｈ）サラウンドを始めとするマルチチャンネルサラウンド音響再生方式が普及している。
【０００４】
さらに、非特許文献１には、５．１ｃｈサラウンドのように複数のスピーカを同一水平面上に配置するだけではなく、高さの異なる複数の水平面上に複数のスピーカを配置する２２．２ｃｈサラウンドの音響再生方式が記載されている。
【０００５】
このように、複数のスピーカを用いた音響再生方式の場合、各スピーカとアンプとを接続する配線が非常に煩雑になるため、スピーカとアンプとを無線接続することが考えられる。この場合、スピーカは、アンプと無線接続するための通信部を備える必要があるため、通信部に駆動用の電力を供給する電源が必要となる。しかしながら、スピーカの通信部に外部から給電すれば、給電用の配線が煩雑になる。
【０００６】
そこで、近年普及している充電池を搭載したスピーカを利用することで、給電用の配線を無くすことが考えられる。
【０００７】
ところで、充電池をスピーカに搭載する場合、ユーザがスピーカの充電池の残量を把握するために、当該充電池の電池残量を表示することが重要である。
【０００８】
そこで、特許文献１には、電池残量表示部とスピーカとを備えているスピーカシステムが開示されている。
【先行技術文献】
【特許文献】
【０００９】
【特許文献１】特開平２００８−２７８３２８号公報（２００８年１１月１３日公開）
【非特許文献】
【００１０】
【非特許文献１】ITU-R， "Multichannel sound technology in home and broadcasting applications", Report ITU-R BS. 2159, 2009年
【発明の概要】
【発明が解決しようとする課題】
【００１１】
しかしながら、上述の特許文献１のようなスピーカを複数用いて、５．１ｃｈ、２２．２ｃｈサラウンド音響再生する音響再生装置においては、以下に示すような問題が生じる。
【００１２】
すなわち、特許文献１に開示のスピーカ（スピーカシステム）は、スピーカシステム本体が電池残量表示部を備えている。そのため、ユーザは、当該音響再生装置を利用する前などに、スピーカ（スピーカシステム）の充電池の電池残量を把握するため、スピーカ毎に電池残量表示部を確認しなければならない。
【００１３】
また、当該サラウンド音響再生装置を使用中に何れかのスピーカの充電池の電池残量が無くなった場合、充電池の電池残量が無くなったスピーカを特定するために、スピーカの充電池の電池残量をスピーカ毎に順番に確認していかなければならない。
【００１４】
したがって、サラウンド音響再生方式を構成するスピーカ数が多くなればなるほど、スピーカの充電池の電池残量を確認する作業はユーザにとって手間となる。
【００１５】
また、スピーカ以外の充電池を搭載した電子機器においても、上記のようなスピーカと同様に、充電池の電池残量を確認する作業はユーザにとって手間となる。例えば、充電池を搭載した照明装置を複数用いて、公園などのライトアップを行う場合、各照明装置の充電池の電池残量を確認するには、ユーザが各照明装置の設置場所まで出向く必要があり、ユーザにとって手間となる。
【００１６】
本発明は、上記の問題点に鑑みなされたものであって、その目的は、充電池を搭載した電子機器を複数同時に使用する場合において、各電子機器における電池残量を容易に確認することができる電池残量確認装置を実現することにある。
【課題を解決するための手段】
【００１７】
上記の課題を解決するために、本発明の一態様に係る電池残量確認装置は、充電池を搭載した複数の電子機器における電池残量を確認するための電池残量確認装置であって、上記電子機器それぞれにおける、充電池の残量を示す電池残量情報と、配置位置を示す配置位置情報とを取得する情報取得手段と、上記情報取得手段が取得した電池残量情報と配置位置情報とを対応付けた電池残量確認情報をユーザに報知する情報報知手段とを備えたことを特徴としている。
【発明の効果】
【００１８】
本発明の一態様によれば、電池残量の確認のために、ユーザは各電子機器に出向く必要がなくなるため、電池残量の確認作業におけるユーザの手間を省くことができるという効果を奏する。
【図面の簡単な説明】
【００１９】
【図１】本発明の実施形態１に係る音響再生装置の概略構成ブロック図である。
【図２】図１に示す音響再生装置で用いるスピーカの配置の一例を示す図である。
【図３】５．１ｃｈサラウンド音響再生方式の場合の各スピーカの配置位置と、充電池の電池残量とを示した充電池残量表示画像の一例を示す図である。
【図４】２２．２ｃｈサラウンド音響再生方式の場合の各スピーカの配置位置と、充電池の電池残量とを示した充電池残量表示画像の一例を示す図である。
【図５】本実施形態１で用いるリモコンの概略斜視図である。
【図６】本発明の実施形態２に係る音響再生装置の概略構成ブロック図である。
【図７】本発明の実施形態３に係る音響再生装置における、５．１ｃｈサラウンド音響再生方式の場合の各スピーカの配置位置と、充電池の電池残量とを示した充電池残量表示画像の一例を示す図である。
【図８】本発明の実施形態３に係る音響再生装置における、２２．２ｃｈサラウンド音響再生方式の場合の各スピーカの配置位置と、充電池の電池残量とを示した充電池残量表示画像の一例を示す図である。
【図９】本発明の実施形態４に係る音響再生装置における、５．１ｃｈサラウンド音響再生方式の場合の各スピーカの配置位置と、充電池の電池残量とを示した充電池残量表示画像の一例を示す図である。
【図１０】本発明の実施形態４に係る音響再生装置における、２２．２ｃｈサラウンド音響再生方式の場合の各スピーカの配置位置と、充電池の電池残量とを示した充電池残量表示画像の一例を示す図である。
【図１１】本発明の実施形態５に係る音響再生装置で用いるスピーカＩＤとアイコン画像とを対応付けた対応表の一例を示す図である。
【図１２】図１２に示す対応表に記されたスピーカ画像の一例を示す図である。
【図１３】本発明の実施形態５の変形例に係る音響再生装置の概略構成ブロック図である。
【図１４】充電池の電池残量を視覚的に表現した、スピーカに対応するアイコン画像を示す図である。
【図１５】アイコン画像にメーカ名、型番を表示した例を示す図である。
【図１６】電池残量によって異なるアイコン画像を伝送する場合のデータフォーマットの一例を示す図である。
【発明を実施するための形態】
【００２０】
以下に本発明の各実施形態を説明する。各実施形態では、本発明の電池残量確認装置を、充電池を搭載した電子機器としてスピーカを複数備えた音響再生装置に適用した例について説明する。しかしながら、本発明の電池残量確認装置は、音響再生装置に限定されず、充電池を搭載した電子機器を複数同時に使用する装置であれば、適用可能である。
【００２１】
〔実施形態１〕
本発明の一実施形態について図１から図５に基づいて説明すると以下の通りである。
【００２２】
図１は、本実施形態に係る音響再生装置１の概略構成ブロック図である。
【００２３】
（音響再生装置１）
音響再生装置１は、図１に示すように、充電池を搭載した複数のスピーカ（スピーカ装置）２と、当該スピーカ２に音声信号を出力すると共に、当該スピーカの電池残量をユーザに報知する情報端末３から構成されている。
【００２４】
（スピーカ２）
スピーカ２は、情報端末３からの音声信号を受信し音声を出力するものである。
【００２５】
スピーカ２は、充電池２０とバッテリー残量算出部２１と通信部２２とを備えている。また、スピーカ２は、スピーカユニットやアンプなどの音声出力のための電子部品を備えているが、当該音声出力のための電子部品についての説明は省略する。
【００２６】
充電池２０は、スピーカ２の内部に備わっており、スピーカ２の動作に必要な電源として用いられる。
【００２７】
充電池２０は、例えば、リチウムイオン二次電池、ニッケル水素二次電池、ニッケルカドミウム二次電池、鉛蓄電池などを用いることができる。
【００２８】
バッテリー残量算出部２１は、充電池２０の電池残量を算出する。詳細には、例えば、バッテリー残量算出部２１は、既存の方法を用いて、充電池２０の電池残量を百分率（％）として算出する（例えば、充電池２０の電池残量が最大の残量である状態を１００％とする）。バッテリー残量算出部２１は、算出した充電池２０の電池残量とスピーカ２を識別するためのスピーカＩＤとを後述する通信部２２を介して情報端末３に送信する。
【００２９】
スピーカＩＤは、各スピーカ２に予め割り振られている。スピーカＩＤとして、例えば、ＭＡＣアドレスを利用してもよい。あるいは、情報端末３が各スピーカ２にスピーカＩＤをそれぞれ割り振って、各スピーカ２に送信し、各スピーカ２はスピーカＩＤを記憶する構成であってもよい。
【００３０】
（スピーカから充電池残量表示画像の表示を指示）
また、バッテリー残量算出部２１は、常に、充電池残量を情報端末３に通知するのではなく、充電池２０の充電池残量が所定の値よりも少なくなったときに、情報端末３に充電池残量が少なくなっていることを通知してもよい。
【００３１】
通信部２２は、情報端末３などの機器と通信をするものである。通信部２２は、Ｗｉ-Ｆｉ（登録商標）等の無線通信を用いて、情報端末３と通信を接続する。通信部２２は、例えば、ＴＣＰ／ＩＰ（Transmission control protocol/Internet Protocol）のソケット通信や、ＵＰｎＰ（Universal Plug and Play）などを利用して、充電池の残量を示す電池残量情報を情報端末３に送信する。スピーカ２から情報端末３への電池残量情報を送信する時間間隔は、例えば、数十秒に１回としてもよい。また、電池残量情報を送信する時間間隔は、ユーザが充電池２０の電池残量を確認するのに適した頻度であればよく特に限定はされない。スピーカ２が、電池残量が低下したのを検知したタイミングで情報端末３に通知するようにしてもかまわない。
【００３２】
（スピーカ２の配置の例）
次に、図２を用いて、スピーカ２の配置の例を示す。図２は、本実施形態にかかるスピーカ２の配置の一例を示す図である。
【００３３】
本実施形態に係るスピーカ２の配置は、５．１ｃｈサラウンド音響再生方式における一般的なスピーカの配置と同様である。
【００３４】
詳細には、図２で示すように、リスナーの位置（リスニングポジション）Ａの正面に、センタースピーカであるスピーカ２Ｃが配置している。リスニングポジションＡを中心とし、スピーカ２Ｃの配置位置を円周上に含む円Ｏの円周上において、リスニングポジションＡ-スピーカ２Ｃから左右に３０°の位置にフロントスピーカであるスピーカ２Ｌおよびスピーカ２Ｒが配置している。また、円Ｏの円周上において、リスニングポジションＡ-スピーカ２Ｃから左右に１１０°の位置にリアスピーカーであるスピーカ２ＬＳおよびスピーカ２ＲＳが配置している。また、前方の床面に低音域専用のサブウーファーであるスピーカ２ＬＦＥ(Low Frequency Effect)が配置している。
【００３５】
なお、本発明に係るスピーカ２の配置や数については、上述の５．１ｃｈサラウンド音響再生方式に用いられるものに限定されない。例えば、スピーカ２の配置や数を２２．２ｃｈサラウンドの音響再生方式に用いられるスピーカの配置および数としてもよいし、また、ユーザが所望するスピーカ２の配置および数であってもよい。
【００３６】
（情報端末３）
次に、情報端末３について、図１を用いて説明する。
【００３７】
情報端末３は、入力部３１、表示部（表示手段）３２、制御部３３、通信部３４および記憶部３５を備えている。情報端末３は、例えば、テレビやＰＣなど、画像を表示することが可能である情報端末が好ましいがこれらに限定されるものではない。これは、情報端末３はあくまでも、情報を取得し、必要な情報（電池残量情報）をユーザに報知すればよいため、画像表示による報知に限らず、音声による報知であってもよいためである。さらには、情報端末３は、別に設けられた表示装置に対して出力する画像（電池残量を示す画像）を生成するまでの処理を行うものであってもよいためである。
【００３８】
（入力部３１）
入力部３１は、ユーザからの入力操作を受け付ける受付手段として機能する。
【００３９】
例えば、ユーザは、入力部３１を操作してスピーカ２の位置を示すスピーカ位置情報を入力する。入力部３１から入力された入力情報は、入力情報取得部３３０に送信される。
【００４０】
また、ユーザは、入力部３１を操作して、スピーカ２の電池残量が示された表示画像である充電池残量表示画像（電池残量確認画像）の表示を指示する構成であってもよい。
【００４１】
なお、スピーカ２の位置については予め既知であり、ユーザの入力を必要とせずに、スピーカ２の位置を示す情報が記憶部３５に保存されている構成であってもよい。
【００４２】
入力部３１は、キーボード、マウス、キーパッド、操作ボタンなどの入力機器等で構成されているものであってもよい。また、入力部３１と表示部３２とが一体となっているタッチパネルであってもよい。また、入力部３１は、情報端末３と別体のリモートコントローラ等の遠隔制御装置であってもよい。
【００４３】
例えば、情報端末３がテレビである場合に、当該テレビのリモートコントローラ等に充電池残量表示画像の表示を指示する電池残量確認ボタンが備わっている構成であってもよい。
【００４４】
（表示部３２）
表示部３２は、制御部３３の指示に従って画像を表示するものである。表示部３２は、制御部３３の指示に従って画像を表示するものであればよく、例えば、ＬＣＤ（液晶ディスプレイ）、有機ＥＬディスプレイ、プラズマディスプレイなどを適用することが可能である。
【００４５】
（制御部３３）
制御部３３は、記憶部３５などから一時記憶部（不図示）に読み出されたプログラムを実行することにより、各種の演算を行うと共に、情報端末３が備える各部を統括的に制御するものである。本実施形態では、制御部３３は、入力情報取得部（入力操作受付手段）３３０、スピーカ位置取得部３３１、表示画像作成部（情報取得手段、情報報知手段）３３２および音声信号作成部３３３を備えている。
【００４６】
（入力情報取得部３３０）
入力情報取得部３３０は、入力部３１からスピーカ２の位置情報（スピーカの配置位置を示す配置位置情報）を受信し、記憶部３５に保存する。
【００４７】
また、入力情報取得部３３０は、入力部３１から充電池残量表示画像の表示指示を受信してもよい。入力情報取得部３３０は、当該指示を表示画像作成部３３２に送信する。
【００４８】
（スピーカ位置取得部３３１）
スピーカ位置取得部３３１は、各スピーカ２のスピーカ位置情報を取得する。
【００４９】
詳細には、スピーカ位置取得部３３１は、表示画像作成部３３２の要求に応じて、記憶部３５から各スピーカ２の位置情報を取得し、表示画像作成部３３２に取得したスピーカ位置情報を送信する。
【００５０】
（表示画像作成部３３２）
表示画像作成部３３２は、スピーカ２それぞれにおける、充電池の残量を示す電池残量情報と、配置位置を示す配置位置情報とを取得する情報取得手段として機能すると共に、上記情報取得手段が取得した電池残量情報と配置位置情報とを対応付けた電池残量確認情報をユーザに報知する情報報知手段として機能している。
【００５１】
具体的には、表示画像作成部３３２は、各スピーカ２から取得した電池残量情報を、記憶部３５から送信された各スピーカ２の位置情報と合わせて表示したユーザへの報知用の画像である、充電池残量表示画像を作成する。
【００５２】
詳細には、表示画像作成部３３２は、スピーカ２から通信部３４介して各スピーカ２の電池残量とスピーカＩＤとを受信する。表示画像作成部３３２は各スピーカ２の電池残量を受信すると、スピーカ位置取得部３３１に各スピーカ２の位置情報を取得するように要求する。表示画像作成部３３２は、スピーカ位置取得部３３１から各スピーカ２の位置情報を受信する。
【００５３】
表示画像作成部３３２は、各スピーカ２のＩＤ、各スピーカ２の位置情報および各スピーカ２の電池残量情報から各スピーカ２の電池残量が示された表示画像である充電池残量表示画像を作成し、表示部３２に当該充電池残量表示画像を表示させる。
【００５４】
つまり、上記表示画像作成部３３２は、上記電池残量確認情報として、上記電池残量情報と配置位置情報とを対応付けて充電池残量表示画像（電池残量確認画像）を生成する確認画像生成手段を構成し、上記表示部３２は、上記表示画像作成部３３２によって生成された充電池残量表示画像を表示する。
【００５５】
上記構成によれば、電池残量確認情報が充電池残量表示画像（電池残量確認画像）として表示されるので、ユーザは、電池残量確認情報を視覚的に把握することができる。つまり、ユーザは、充電池残量確認画像を見るだけで、各電子機器の電池残量を、配置位置と共に容易に把握することができる。
（充電残量の少ないスピーカが充電池残量表示画像の表示を指示）
また、表示画像作成部３３２は、通信部３４を介してスピーカ２から充電池残量が少なくなっていることを示す通知を受信した場合に、充電池残量表示画像を作成し、表示部３２に充電池残量表示画像を表示させてもよい。具体的には、表示画像作成部３３２は、スピーカ２から取得する電池残量情報が所定値以下の充電池の残量であることを示したとき、上記電池残量確認情報としての充電池残量表示画像を作成し、表示部３２に作成した充電池残量表示画像を表示させる。
【００５６】
つまり、情報取得手段としての表示画像作成部３３２及び表示部３２は、スピーカ２が搭載している充電池の残量が所定値以下となるタイミングで、当該スピーカ２の電池残量情報を取得する。これにより、ユーザは、電池残量が所定値以下であるスピーカ２を容易に把握することができる。
（ユーザが充電池残量表示画像の表示を指示）
また、表示画像作成部３３２は、入力情報取得部３３０から充電池残量表示画像の表示指示を受信した場合に、充電池残量表示画像を作成し、表示部３２に当該充電池残量表示画像を表示させてもよい。具体的には、表示画像作成部３３２は、上記入力情報取得部３３０によるユーザの操作（充電池残量表示画像の表示指示）を受け付けたとき、スピーカ２が搭載している充電池の残量と配置位置とを対応付けた上記充電池残量表示画像を上記表示部３２に表示させてもよい。
【００５７】
つまり、情報報知手段としての表示画像作成部３３２及び表示部３２は、上記入力部３１によるユーザの操作を受け付けたとき、スピーカ２が搭載している充電池の残量が所定値以下のスピーカ２に対応する電子機器画像（アイコン画像）を強調表示（ハイライト表示）する。これにより、ユーザは、電池残量が所定値以下であるスピーカ２を容易に把握することができる。
【００５８】
（音声信号作成部３３３）
音声信号作成部３３３は、各スピーカ２が出力する音声の音声信号を生成する。
【００５９】
詳細には、音声信号作成部３３３は、放送波や光ディスク媒体などから抽出された音声信号から各スピーカ２で再生すべき信号を生成し、通信部３４を介して各スピーカ２に送信する。
【００６０】
また、上述の充電池残量が少なくなっているスピーカ２が、充電池残量が少なくなっていることを示す通知を情報端末３に送信する構成においては、音声信号作成部３３３は表示画像作成部３３２から当該スピーカ２のＩＤを受信してもよい。音声信号作成部３３３はスピーカ２のＩＤを受信すると、当該スピーカ２の出力音声に警告音を重畳するように音声信号を生成し、通信部３４を介して当該スピーカ２に送信してもよい（例えば、コンテンツの音声に警告音を重畳する）。結果として、当該スピーカ２は警告音を重畳した音声を出力する。
（リモコンからの操作を受け付けてスピーカから効果音を出力）
また、音声信号作成部３３３は、表示部３２に表示されている充電池残量表示画像の特定のスピーカ２を示すアイコン（スピーカ２を示すアイコンについては、詳細を後述する。）の選択を、入力情報取得部３３０を介して受信する構成であってもよい。
【００６１】
図５は、本実施形態に係るテレビのリモートコントローラ５を示す図である。リモートコントローラ５は、十字キー６を備えている。例えば、ユーザは十字キー６を操作することによって、表示部３２に表示されている特定のスピーカ２を示すアイコンを選択することができる。
【００６２】
音声信号作成部３３３は、特定のスピーカ２を示すアイコンの選択を受け付けると、当該アイコンに対応したスピーカ２が効果音を出力するように音声信号を作成し、スピーカ２に音声信号を送信してもよい。その結果、選択されたアイコンに対応するスピーカ２は効果音を出力する。
【００６３】
（通信部３４）
通信部３４は、スピーカ２などの機器と通信をするものである。詳細については、通信部２２と同様であるため、ここでの説明を省略する。
【００６４】
（記憶部３５）
記憶部３５は、スピーカ位置情報、スピーカ２に対応するアイコンの画像などを保存している。
【００６５】
上記構成の音響再生装装置１（電池残量確認装置）は、スピーカ２（電子機器）それぞれにおける、充電池の残量を示す電池残量情報と、配置位置を示す配置位置情報とを取得する情報取得手段としての通信部３４及びスピーカ位置取得部３３１と、上記通信部３４及びスピーカ位置取得部３３１が取得した電池残量情報と配置位置情報とを対応付けた電池残量確認情報（充電池残量表示画像）をユーザに報知する情報報知手段としての表示画像作成部３２及び表示部３２とを備えた構成である。
【００６６】
従って、情報報知手段としての表示画像作成部３２及び表示部３２によって、各スピーカ２における電池残量情報と配置位置情報とを対応付けた電池残量確認情報がユーザに報知されるので、電池残量確認情報が報知されたユーザは、各スピーカ２における電池残量を、各スピーカ２の配置位置に対応付けて容易に把握することが可能となる。
【００６７】
これにより、電池残量の確認のために、ユーザは各スピーカ２に出向く必要がなくなるため、電池残量の確認作業におけるユーザの手間を省くことができる。
【００６８】
（充電池残量表示画像の例１）
次に、表示画像作成部３３２によって作成される充電池残量表示画像の例について以下に説明する。
【００６９】
図３は、図２に示すように、各スピーカ２が５．１ｃｈサラウンド音響再生方式のスピーカの配置に位置する場合の充電池残量表示画像Ｐ１を例示している。
【００７０】
図３に示すように、充電池残量表示画像Ｐ１は各スピーカ２に対応するアイコンＩ１を含んでいる。各アイコンＩ１間の表示位置の関係は、各スピーカ２間の空間的な位置の関係を反映している。すなわち、充電池残量表示画像Ｐ１は各スピーカ２の空間的な位置を、充電池残量表示画像Ｐ１上に適切に縮尺し、俯瞰するような画像となっている。
【００７１】
また、各アイコンＩ１は充電池残量を連想させるアイコンである。詳細には、アイコンＩ１は、乾電池の形として表示されている。アイコンＩ１は、対応するスピーカ２の充電池残量に応じた広さの面積に色を付けて表示される。
【００７２】
したがって、ユーザは、どの位置のスピーカがどれくらいの電池残量かを確認することができる。また、ユーザが各スピーカの電池残量を直観的に認識できるように、スピーカ２の電池残量に応じて対応するアイコンＩ１の色を変えてもよい。
【００７３】
また、スピーカ２に対応するアイコンＩ１の画像は、予め情報端末３の記憶部３５等のローカルのメモリに保存されていてもよい。
【００７４】
また、上述した充電池残量が少なくなっていること示す通知を受信した場合に表示される充電池残量表示画像として、次に説明する充電池残量表示画像を例として挙げることができる。充電池残量表示画像には、充電池残量表示画像に全てのスピーカ２に対応するアイコンＩ１を表示する必要はなく、充電池残量が少なくなっていること示す通知したスピーカ２に対応するアイコンＩ１のみを表示してもよい。
【００７５】
また、上述したようにユーザからの指示を、入力部１１から受け付けて充電池残量表示画像を表示する場合においても、充電池残量表示画像に全てのスピーカ２に対応するアイコンＩ１を表示する必要はなく、充電池残量が少なくなっているスピーカ２に対応するアイコンＩ１のみを表示してもよい。
（コンテンツの画像上に半透明に表示）
また、ユーザが情報端末３または３ａにてコンテンツを視聴中である場合に、半透明の充電池残量表示画像をコンテンツ画像にオーバーレイして表示してもよい。
【００７６】
上記の構成によれば、充電池残量表示画像を表示することによる、情報端末３におけるユーザによるコンテンツの視聴の中断を防止する事ができる。
【００７７】
（充電池残量表示画像の例２）
次に、図４を用いて、本実施形態に係る充電池残量表示画像の他の一例について説明する。
【００７８】
図４は、各スピーカ２が２２．２ｃｈサラウンド音響再生方式のスピーカの配置に位置する場合の充電池残量表示画像Ｐ２を例示している。
【００７９】
２２．２ｃｈサラウンド音響再生方式のスピーカの配置について、全てのスピーカは同一平面上に位置せずに３次元的に位置している。
【００８０】
図４に示すように、充電池残量表示画像Ｐ２においては、各スピーカ２の位置を、立体図を用いて表示している。
【００８１】
詳細には、充電池残量表示画像Ｐ２には、補助線Ｌ１およびＬ２から成る格子線が表示されている。立方体によって表示されたアイコンＩ２は、各スピーカ２を示しており、上記格子線上に表示されている。格子線は、ユーザが視覚的に立体図を認識し易くするための補助線として表示されている。
【００８２】
なお、各スピーカ２を示すアイコンＩ２の色は、対応するスピーカ２の充電池残量に応じた色によって表示されてもよい。例えば、充電池残量が２０％以上のスピーカ２に対応するアイコンＩ２を緑色で表示し、充電池残量が１０％以上２０％未満のスピーカ２に対応するアイコンＩ２を合オレンジ色で表示し、充電池残量が１０％未満のスピーカ２に対応するアイコンＩ２を赤色で表示してもよい。また、図４に示した立体図は一例であって、立体図の視点が変更可能な構成であってもよい。
【００８３】
以上のように、上記の構成によれば、複数のスピーカを使用するサラウンド音響再生装置において、ユーザは各スピーカの充電池の残量を容易に確認することができる。
【００８４】
本実施形態１では、上記の図３，４に示すように配置されたスピーカ２の配置位置を示す情報は、ユーザにより予め入力されたスピーカ位置情報を用いているが、以下の実施形態２では、ユーザによる入力ではなく、実際に配置されたスピーカ２から配置位置を示す情報を取得する例について説明する。
【００８５】
〔実施形態２〕
本発明の他の実施形態について、図６に基づいて説明すれば、以下のとおりである。なお、説明の便宜上、前記実施形態にて説明した部材と同じ機能を有する部材については、同じ符号を付記し、その説明を省略する。
【００８６】
本実施形態に係る音響再生装置１ａは、各スピーカ２の位置を解析し、解析した各スピーカ２の位置をスピーカ位置情報として用いる。なお、スピーカ位置情報を求める点以外の処理については、前記実施形態と同じである。
【００８７】
図６は、本実施形態に係る音響再生装置１ａの要部構成の一例を示すブロック図である。音響再生装置１ａは、実施形態１で説明した音響再生装置１が備える情報端末３の代わりに、情報端末３ａを備えている。
【００８８】
（情報端末３ａ）
情報端末３ａについて、図６を用いて説明する。
【００８９】
情報端末３ａは、情報端末３ａは、前記実施形態１の情報端末３とほぼ同じ機能を有しているが、情報端末３が備える制御部３３の代わりに、制御部３３ａを備え、さらに、マイク３６を備えている。マイク３６は、互いに異なる位置に配置された複数のマイクからなる。
【００９０】
制御部３３ａは、さらに、スピーカ位置解析部３３５を備えている。
【００９１】
（入力部３１）
本実施形態の入力部３１はユーザからスピーカ位置を解析する指示であるスピーカ位置解析指示を受け付ける。そして、入力部３１は入力情報取得部３３０に当該指示を送信する。
【００９２】
（入力情報取得部３３０）
入力情報取得部３３０は、スピーカ位置解析指示を受信し、スピーカ位置解析部３３５に送信する。
【００９３】
（スピーカ位置解析部３３５）
スピーカ位置解析部３３５は、スピーカ位置の解析の指示を受信し、スピーカ２の位置を解析する。
【００９４】
スピーカ位置解析部３３５におけるスピーカ２の位置の解析について、詳細に説明する。例えば、スピーカ位置解析部３３５はスピーカ位置の解析の指示を受信すると、位置を特定するスピーカが出力する白色雑音のデータの作成を音声信号作成部３３３に指示する。
【００９５】
スピーカ位置解析部３３５は、各マイク３６から収音信号を受信する。
【００９６】
スピーカ位置解析部３３５は、同じ時刻から開始する分析区間における、マイク３６のそれぞれのマイクの収音信号のインパルス応答を求め、それらインパルス応答から三角測量の原理を用いることによってスピーカ２の位置を解析する。この解析を、各スピーカ２に対して順に行うことによって、各スピーカ２の位置を解析する。
【００９７】
スピーカ位置解析部３３５は、解析した各スピーカ２の位置を記憶部３５に保存する。
【００９８】
（音声信号作成部３３３）
音声信号作成部３３３は、スピーカ位置解析部３３５の指示に従い、白色雑音の音声データを作成し、当該音声データをスピーカ位置解析部３３５から指定されたスピーカ２に通信部３4を介して送信する。
【００９９】
（マイク３６）
マイク３６は、スピーカ２が出力する白色雑音を収音する。マイク３６は収音信号をスピーカ位置解析部３３５に送信する。
【０１００】
なお、マイク３６のマイクの数は特に限定されず、２本以上備えていればよい。
【０１０１】
〔実施形態３〕
本発明の他の実施形態について、図７および図８に基づいて説明すれば、以下のとおりである。なお、説明の便宜上、前記実施形態にて説明した部材と同じ機能を有する部材については、同じ符号を付記し、その説明を省略する。また、本実施形態では、前記実施形態１，２の何れの構成の情報端末３，３ａを用いてもよい。
【０１０２】
本実施形態においては、充電池残量表示画像では、充電池残量が所定値以下のスピーカ２に対応するアイコンが強調されて表示される（ハイライト表示）。したがって、ハイライト表示されたアイコンは、所定の値よりも充電池残量が多いスピーカ２に対応するアイコンと視覚的に区別されて表示される。すなわち、上記充電池残量表示画面には、スピーカ２に対応するアイコン（電子機器画像）が含まれており、上記表示画像作成部３３２は、上記電池残量情報から充電池残量が所定値以下であるスピーカ２に対応するアイコンを強調表示（ハイライト表示）する。
【０１０３】
これにより、ユーザは、電池残量が所定値以下であるスピーカ２を容易に把握することができる。
【０１０４】
図７を用いて、本実施形態に係る充電池残量表示画像の一例について説明する。
【０１０５】
図７は、図２に示された各スピーカ２が５．１ｃｈサラウンド音響再生方式のスピーカの配置に位置する場合の充電池残量表示画像Ｐ３を例示している。
【０１０６】
図７に示すように、充電池残量表示画像Ｐ３は各スピーカ２に対応するアイコンＩ１およびアイコンＩ１ａを含んでいる。各アイコンＩ１およびアイコンＩ１ａ間の表示位置の関係は、各スピーカ２間の空間的な位置の関係を反映している。
【０１０７】
ここで、ハイライト表示とは、例えば、アイコンが点滅するように表示されること、アイコンが明度/彩度の異なる色で置き換えられるように表示されることなどである。アイコンの大きさが周期的に変更されるような表示方法でも良い。
【０１０８】
例えば、図７に示すように、枠Ｆ１に囲まれて表示されているアイコンＩ１ａに対応するスピーカ２は充電池残量が所定の値以下の状態である。
【０１０９】
また、所定の値よりも充電池残量が少ないスピーカ２が複数ある場合においては、当該スピーカ２に対応するアイコンを順次ハイライト表示させてもよい。
【０１１０】
また、対応するアイコンがハイライト表示されている期間において、当該アイコンＩ１ａに対応するスピーカ２が効果音を出力してもよい。例えば、アイコンＩ１ａの点滅表示に連動して、対応するスピーカ２から効果音を出力してもよい。例えば、音声信号作成部３３３は、ハイライト表示されているアイコンＩ１ａに対応するスピーカ２に送信する音声データに、効果音を重畳する。効果音を重畳された音声データは、通信部３４を介して対応するスピーカ２に送信される。
【０１１１】
例えば、ユーザが情報端末３または３ａにて、コンテンツを視聴中である場合、当該効果音は、コンテンツの音声に重畳させて出力してもよい。また、コンテンツの音声の音量を一旦小さくして、効果音を重畳させてもよい。あるいは、コンテンツの音声の出力を一旦中断して、効果音のみを出力してもよい。
【０１１２】
スピーカ２が他の配置である場合の充電池残量表示画像Ｐ４について、図８を用いて説明する。
【０１１３】
図８は、各スピーカ２が２２．２ｃｈサラウンド音響再生方式のスピーカの配置に位置する場合の充電池残量表示画像Ｐ４を例示している。図８に示す枠Ｆ２に囲まれて表示されているアイコンＩ２ａに対応するスピーカ２は充電池残量が所定値以下の状態である。アイコンＩ２ａはハイライト表示されており、他のアイコンと視覚的に区別されて表示されている。
【０１１４】
〔実施形態４〕
本発明の他の実施形態について、図９および図１０に基づいて説明すれば、以下のとおりである。なお、説明の便宜上、前記実施形態にて説明した部材と同じ機能を有する部材については、同じ符号を付記し、その説明を省略する。また、本実施形態では、前記実施形態１，２の何れの構成の情報端末３，３ａを用いてもよい。
【０１１５】
本実施形態においては、充電池残量表示画像におけるアイコン表示領域と、コンテンツ表示領域とを重複せずに表示する。
【０１１６】
例えば、ユーザが情報端末３または３ａにてコンテンツ視聴中に、入力部３１から充電池残量表示画像の表示指示を受信した場合、スピーカ２から充電池残量が少なくなっていることが通知された場合、ユーザがコンテンツを視聴中に絶えず充電池残量表示画像が表示される場合などにおいて、本実施形態に係る充電池残量表示画像が表示される。
【０１１７】
図９を用いて、本実施形態に係る充電池残量表示画像の一例について説明する。
【０１１８】
図９は、各スピーカ２が５．１ｃｈサラウンド音響再生方式のスピーカの配置に位置する場合、かつ、ユーザが情報端末３または３ａにて、コンテンツを視聴中である場合の充電池残量表示画像Ｐ１０を例示するものである。
【０１１９】
図９に示すように、充電池残量表示画像Ｐ１０は、各スピーカ２に対応するアイコンＩ１およびアイコンＩ１ａを含んでいる。各アイコンＩ１およびアイコンＩ１ａ間の表示位置の関係は、各スピーカ２間の空間的な位置の関係を反映している。充電池残量表示画像Ｐ１０は、コンテンツ画像Ｃ１を表示する領域を含む。アイコンＩ１およびアイコンＩ１ａの表示領域と重複しないように、記コンテンツ画像Ｃ１は、縮小されて、充電池残量表示画像Ｐ１０の中央に表示される。
【０１２０】
スピーカ２が他の配置である場合の充電池残量表示画像Ｐ１１について、図１０を用いて説明する。図１０は、各スピーカ２が２２．２ｃｈサラウンド音響再生方式のスピーカの配置に位置する場合の充電池残量表示画像Ｐ１１を例示している。
【０１２１】
図１０は、各スピーカ２が２２．２ｃｈサラウンド音響再生方式のスピーカの配置に位置する場合、かつ、ユーザが情報端末３または３ａにて、コンテンツを視聴中である場合の充電池残量表示画像Ｐ１１を例示するものである。
【０１２２】
図１０に示すように、充電池残量表示画像Ｐ１１は、各スピーカ２に対応するアイコンＩ２およびアイコンＩ２ａを含んでいる。各アイコンＩ２およびアイコンＩ２ａ間の表示位置の関係は、各スピーカ２間の空間的な位置の関係を反映している。充電池残量表示画像Ｐ１１は、コンテンツ画像Ｃ２を表示する領域を含む。アイコンＩ２およびアイコンＩ２ａの表示領域と重複しないように、記コンテンツ画像Ｃ２は、縮尺されて、充電池残量表示画像Ｐ１１の中央に表示される。
【０１２３】
上記の構成によれば、充電池残量表示画像においてアイコンとコンテンツ画像が重複されずに表示される。そのため、ユーザのコンテンツ画像の視聴を中断することなく、充電池残量表示画像を表示することができる。
【０１２４】
しかも、アイコンがコンテンツ画像に重複されて表示されていないため、アイコンの表示によって生じる当該コンテンツ画像における非表示領域が存在しない。このため、ユーザは、アイコンを確認しつつ、非表示領域が存在しない好ましい状態のコンテンツ画像を視聴することができる。
【０１２５】
上述した実施形態１から実施形態４では、各スピーカに対応するアイコン画像は全て同じものとして説明したが、ユーザがアイコン画像から、電池残量の少なくなったスピーカを容易に特定するためには、位置を示す情報のほかにも，何らかの補助情報の付加が望ましい。そこで、下記の実施形態５では、上記補助情報を付加したアイコン画像として、各スピーカの形状、色などに対応したアイコン画像を表示する例について説明する。
【０１２６】
〔実施形態５〕
本発明の他の実施形態について、図１１および図１２に基づいて説明すれば、以下のとおりである。なお、説明の便宜上、前記実施形態にて説明した部材と同じ機能を有する部材については、同じ符号を付記し、その説明を省略する。また、本実施形態では、前記実施形態１，２の何れの構成の情報端末３，３ａを用いてもよい。
【０１２７】
本実施形態では、ユーザがアイコン画像から、電池残量の少なくなったスピーカを容易に特定するための手段として、アイコン画像に各スピーカの実際の色や形状を反映させる例について説明する。
【０１２８】
上記情報端末３，３ａは、各スピーカに対応するアイコン画像を、予め記憶部３５（図１等）に保持している。これは、全てのアイコン画像が同一である場合には問題とならないが、各スピーカの色や形状を反映させるためには、情報端末３，３ａが，予め，無線ネットワークあるいは有線ネットワークで接続され得る各スピーカ２と、それに対するアイコン画像とを対応づけられることが必要なためである。従って、情報端末３，３ａは、例えば図１１に示すような、スピーカＩＤとアイコン画像とが対応した対応表を記憶部３５に保持しておくことが必要となる。そして，それらのアイコン画像は、図１２に示すように、各スピーカの色・形状を模したアイコン画像Ｉ３〜Ｉ５とすることによって、ユーザは位置情報と、色・形状情報とから、より容易に電池残量の少なくなったスピーカを特定することが可能となる。
【０１２９】
上記の場合、無線ネットワークあるいは有線ネットワークで接続され得る全種類のスピーカを、情報端末３，３ａが予め知ることが可能な場合を想定しているが、情報端末３，３ａが全種類のスピーカを予め知ることが不可能な場合もある。
【０１３０】
（変形例）
そこで、無線ネットワークあるいは有線ネットワークで接続され得る全種類のスピーカを、情報端末３，３ａが予め知ることが不可能な場合には、各スピーカが自分のアイコン画像を保持し、必要に応じて情報端末３，３ａに送信するようにすればよい。
【０１３１】
図１３は、本変形例に係る音響再生装置１ｂの要部構成の一例を示すブロック図である。音響再生装置１ｂは、図１３に示すように、スピーカ２ａ〜２ｃを備えている。
【０１３２】
スピーカ２ａ〜２ｃは、それぞれ自身の形状を反映させたアイコン画像データＤａ〜Ｄｃを保持している。各スピーカ２は、通信部２２を介して情報端末３または情報端末３ａに、当該アイコン画像データＤａ〜Ｄｃを送信する。例えば、スピーカ２は、アイコン画像データＤａ〜ＤｃとスピーカＩＤとを情報端末３または情報端末３ａに送信する。情報端末３または情報端末３ａは、アイコン画像データＤａ〜ＤｃとスピーカＩＤとを対応付けて記憶部３５などに保存してもよい。
【０１３３】
また、スピーカ２ａ〜２ｃが保持しているアイコン画像データＤａ〜Ｄｃはそれぞれ１つに限らない。例えば、種々の充電池残量に応じたアイコン画像データＤａ〜Ｄｃを保持してもよい。そして、各スピーカが、それぞれの色・形状を模したアイコン画像を保持し、スピーカＩＤを伝送する際に、その画像も併せて主端末側に伝送すればよい。このとき、例えば図１４に示すように，図中，左から，電池残量が０％の場合のアイコン画像Ｉ１０、２０％の場合のアイコン画像Ｉ１１、５０％の場合のアイコン画像Ｉ１２、１００％の場合のアイコン画像Ｉ１３というように、複数の残量パターンに対応するアイコン画像を伝送しておき、情報端末３，３ａ側では、電池残量に応じてアイコン画像を切り替え表示させてもよい。
【０１３４】
さらに、色や形状のほか、製造メーカ名やスピーカの型名を、伝送するアイコン画像の代わりに、あるいはアイコン画像と併せて伝送し、情報端末３，３ａに表示させてもよい（図１５）。図１５では、アイコン画像Ｉ１４の上部側に、製造メーカ名（Ａ  Corporation）、型名（ＢＣ−１０００Ｚ）が表示されている。これらの情報の伝送は、前述したように，ＵＰｎＰの仕組みを利用し，デバイスを記述するデータフォーマットに従って記述してもよい。
【０１３５】
図１４に示すように、電池残量によって異なるアイコン画像を伝送する場合のデータフォーマットの一例を図１６に示す。
【０１３６】
以上のように、スピーカ２自体に、自分のアイコン画像等の自分を特定するための情報を格納し、必要に応じて情報端末３，３ａに伝送するようにすれば、喩え、情報端末３，３ａが予め、接続され得る全種類のスピーカを知らなくても、各スピーカの色・形状や型名などを反映したアイコンを表示することが出来るため、ユーザは、電池残量の少なくなったスピーカを容易に特定することが可能となる。
【０１３７】
〔ソフトウェアによる実現例〕
音響再生装置１の情報端末３，３ａの制御ブロック（特に制御部３３，３３ａ）は、集積回路（ＩＣチップ）等に形成された論理回路（ハードウェア）によって実現してもよいし、ＣＰＵ（Central Processing Unit）を用いてソフトウェアによって実現してもよい。
【０１３８】
後者の場合、情報端末３，３ａは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１３９】
なお、本実施形態１〜５では、何れも電子機器としてスピーカ２について説明したが、本発明はスピーカ２に適用されるだけでなく、例えば、充電池を搭載した照明装置にも適用することが可能である。例えば、公園や建物などを夜間にライトアップする場合に、複数の照明装置を用いる。このような場合、通常であれば、各照明装置の充電池の残量を確認するために、ユーザが各照明装置の設置場所に出向く必要があったが、本発明のように、各照明装置の充電池の残量を配置位置と共に一元的管理することで、照明装置の充電池の残量を確認するために、各照明装置の設置場所にユーザが出向く必要がなくなる。
【０１４０】
このように、本発明は、スピーカだけでなく、照明装置や、自動掃除機、その他、充電池を搭載した電子機器に幅広く適用することが可能である。
【０１４１】
本発明は、上記各実施形態に係る電池残量確認装置を、コンピュータによって実現してもよく、この場合には、コンピュータを上記電池残量確認装置が備える各手段として動作させることにより上記電池残量確認装置をコンピュータにて実現させる電池残量確認プログラム、およびそれを記録したコンピュータ読み取り可能な記録媒体も、本発明の範疇に入る。
【０１４２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１４３】
本発明は、充電池を搭載した電子機器を複数同時に使用し、各電子機器の電池残量を一元管理する必要のあるシステムに利用することができる。
【符号の説明】
【０１４４】
１  音響再生装置（電池残量確認装置）
１ａ  音響再生装置（電池残量確認装置）
１ｂ  音響再生装置（電池残量確認装置）
２  スピーカ（電子機器）
３  情報端末
３ａ  情報端末
５  リモートコントローラ
６  十字キー
１１  入力部（操作受付手段）
２０  充電池
２１  バッテリー残量算出部
２２  通信部
３１  入力部（操作受付手段）
３２  表示部（表示手段、情報報知手段）
３３  制御部
３３ａ  制御部
３４  通信部（情報取得手段）
３５  記憶部
３６  マイク
３３０  入力情報取得部
３３１  スピーカ位置取得部（情報取得手段）
３３２  表示画像作成部（確認画像生成手段、情報報知手段）
３３３  音声信号作成部
３３５  スピーカ位置解析部
【図１】
2015226394.tif 000003
【図２】
2015226394.tif 000004
【図３】
2015226394.tif 000005
【図４】
2015226394.tif 000006
【図５】
2015226394.tif 000007
【図６】
2015226394.tif 000008
【図７】
2015226394.tif 000009
【図８】
2015226394.tif 000010
【図９】
2015226394.tif 000011
【図１０】
2015226394.tif 000012
【図１１】
2015226394.tif 000013
【図１２】
2015226394.tif 000014
【図１３】
2015226394.tif 000015
【図１４】
2015226394.tif 000016
【図１５】
2015226394.tif 000017
【図１６】
2015226394.tif 000018